(57)【要約】【課題】  住人によるレバーハンドルの操作を妨げず、かつ、猫などの小動物がレバーハンドルを操作することを防ぐことが可能なドアハンドルストッパを提供する。【解決手段】  本発明によって提供されるドアハンドルストッパＡ１は、ドア板３と、ドア板３から直立する軸部５を中心として回動可能なレバーハンドル４との間に挿しこまれて使用される。ドアハンドルストッパＡ１は、ドア板３に当接し得る第１当接面１１、および、第１当接面１１の反対側に位置し、レバーハンドル４に当接し得る第２当接面１２を有し、かつ弾性変形可能なハンドル規制部１０を備えている。第１当接面１１と第２当接面１２との間の寸法は一方から他方に向かうにつれて増加している。【選択図】  図４
2014058860.tif 000002
【特許請求の範囲】
【請求項１】
ドア板と、上記ドア板から直立する軸部を中心として回動可能なレバーハンドルとの間に挿しこまれるドアハンドルストッパであって、
上記ドア板に当接し得る第１当接面、および、上記第１当接面の反対側に位置し、上記レバーハンドルに当接し得る第２当接面を有し、かつ弾性変形可能なハンドル規制部を備え、
上記第１当接面と上記第２当接面との間の寸法が一方から他方に向かうにつれて増加することを特徴とする、ドアハンドルストッパ。
【請求項２】
上記ハンドル規制部は、所定の厚みを有する板状とされ、かつ厚み方向と直交する方向に凹む第１凹部を有し、
上記第１当接面は、上記ハンドル規制部の外側面の一部であり、上記第２当接面は、上記第１凹部を囲む内側面の一部である、請求項１に記載のドアハンドルストッパ。
【請求項３】
上記第１当接面および第２当接面は、各々が上記第２当接面から上記第１当接面に向かう方向に凸となる曲面である、請求項２に記載のドアハンドルストッパ。
【請求項４】
上記ハンドル規制部における上記第１当接面と上記第２当接面との間には、空隙部が形成されている、請求項１に記載のドアハンドルストッパ。
【請求項５】
上記第１当接面は平面状である、請求項４に記載のドアハンドルストッパ。
【請求項６】
上記ハンドル規制部は、所定の厚みを有する板状とされており、
上記第１および上記第２当接面は、上記ハンドル規制部の外側面の一部である、請求項４または５に記載のドアハンドルストッパ。
【請求項７】
上記ハンドル規制部の上記他方側につながる把持部を備えている、請求項６に記載のドアハンドルストッパ。
【請求項８】
上記把持部は弾性変形可能であり、
上記把持部には、上記厚み方向と直交する方向に凹む第２凹部が形成されている、請求項７に記載のドアハンドルストッパ。
【請求項９】
上記ハンドル規制部が、ゴム、ゴム発泡体、樹脂発泡体、あるいは、軟質樹脂のいずれかによって形成されている、請求項１ないし８のいずれかに記載のドアハンドルストッパ。
【発明の詳細な説明】
【技術分野】
【０００１】
本発明は、レバーハンドルが設けられたドアの開閉を制限するためのドアハンドルストッパに関する。
【背景技術】
【０００２】
室内の間仕切り用のドアには、比較的小さな力で使用できるレバーハンドルが設けられていることがある。たとえば、特許文献１には、出没可能なラッチボルト（４）を備えたドア（１）と、ラッチボルト（４）の出没を操作するためのレバーハンドル（６）が記載されている。レバーハンドル（６）が水平状態にある場合、ラッチボルト（４）は出っ張った状態であり、このラッチボルト（４）が壁側の凹部に嵌り込み、ドア（１）は閉じられた状態で維持される。レバーハンドル（６）を把持して下方へ動かすことで、ラッチボルト（４）は没状態となり、壁側の凹部から脱する。この状態ではドア（１）を開くことが可能となる。
【０００３】
従来、ドアが意図せずに閉じることを防ぐためのドアストッパが考案されている（たとえば、特許文献２を参照）。従来のドアストッパは、ドアを開いた状態でドアと床との間に挟み込み、ドアが閉じるのを防ぐものであった。
【０００４】
猫などを飼育する家庭では、猫がレバーハンドルに飛びつき、飼育者の意図に反してドアを開けて飼育用の部屋から出て行ってしまうことが起こり得る。たとえば、ドアの前に重量物を置くことでドアの固定を行うことは可能である。しかしながら、そのような手段は住人にとっても不便であった。
【先行技術文献】
【特許文献】
【０００５】
【特許文献１】特開２００９−２２８２８７号公報
【特許文献２】特表２００５−５２１８１０号公報
【発明の概要】
【発明が解決しようとする課題】
【０００６】
本発明は、上記した事情のもとで考え出されたものであって、住人によるレバーハンドルの操作を妨げ難く、かつ、猫などの小動物がレバーハンドルを操作することを防ぐことが可能なドアハンドルストッパを提供することをその課題とする。
【課題を解決するための手段】
【０００７】
本発明によって提供されるドアハンドルストッパは、ドア板と、上記ドア板から直立する軸部を中心として回動可能なレバーハンドルとの間に挿しこまれるドアハンドルストッパであって、上記ドア板に当接し得る第１当接面、および、上記第１当接面の反対側に位置し、上記レバーハンドルに当接し得る第２当接面を有し、かつ弾性変形可能なハンドル規制部を備え、上記第１当接面と上記第２当接面との間の寸法が一方から他方に向かうにつれて増加することを特徴とする。
【０００８】
このような構成によれば、上記第１当接面と上記第２当接面との間の寸法が一方から他方に向かうにつれて増加することから、上記ハンドル規制部の一方を上記ドア板と上記レバーハンドルとの間に通すことは容易に行い得る。さらに、上記ハンドル規制部を移動させることで、上記第１当接面を上記ドア板に当接させ、かつ、上記第２当接面を上記レバーハンドルに当接させることも容易に行える。このとき、上記ハンドル規制部に力を加えることで、上記ハンドル規制部が弾性変形し、上記ドア板と上記レバーハンドルとの間に挟まれた状態で固定される。この状態では、上記ハンドル規制部をさらに変形させるだけの力を加えないと上記レバーハンドルを動かすことが困難となる。このため、本発明に基づくドアハンドルストッパを用いることで、たとえば猫のような屋内飼育される小動物が飼育者の意図に反してレバーハンドルを操作してしまうことを防ぐことができる。一方で、上記ハンドル規制部は弾性変形可能であるため、上記ドアハンドルストッパを上記ドア板と上記レバーハンドルとの間に挟んだままの状態でも一定以上の力を加えれば、上記レバーハンドルを操作することは可能である。従って、本発明のドアハンドルストッパは、猫などがレバーハンドルを操作するのを防ぎつつ、住人であればレバーハンドルの操作を行うことが可能な構成を実現可能である。
【０００９】
本発明の好ましい一の実施の形態においては、上記ハンドル規制部は、所定の厚みを有する板状とされ、かつ厚み方向と直交する方向に凹む第１凹部を有し、上記第１当接面は、上記ハンドル規制部の外側面の一部であり、上記第２当接面は、上記第１凹部を囲む内側面の一部である。
【００１０】
本発明の好ましい実施の形態においては、上記第１当接面および第２当接面は、各々が上記第２当接面から上記第１当接面に向かう方向に凸となる曲面である。
【００１１】
本発明の好ましい他の実施の形態においては、上記ハンドル規制部における上記第１当接面と上記第２当接面との間には、空隙部が形成されている。
【００１２】
本発明の好ましい実施の形態においては、上記第１当接面は平面状である。
【００１３】
本発明の好ましい実施の形態においては、上記ハンドル規制部は、所定の厚みを有する板状とされており、上記第１および上記第２当接面は、上記ハンドル規制部の外側面の一部である。
【００１４】
本発明の好ましい実施の形態においては、上記ハンドル規制部の上記他方側につながる把持部を備えている。
【００１５】
本発明の好ましい実施の形態においては、上記把持部は弾性変形可能であり、上記把持部には、上記厚み方向と直交する方向に凹む第２凹部が形成されている。
【００１６】
本発明の好ましい実施の形態においては、上記ハンドル規制部が、ゴム、ゴム発泡体、樹脂発泡体、あるいは軟質樹脂のいずれかによって形成されている。
【００１７】
本発明のその他の特徴および利点は、添付図面を参照して以下に行う詳細な説明によって、より明らかとなろう。
【図面の簡単な説明】
【００１８】
【図１】本発明の第１実施形態に基づくドアハンドルストッパを示す平面図である。
【図２】図１のＩＩ−ＩＩ線に沿う断面図である。
【図３】図１に示すドアハンドルストッパの主たる使用形態を示す図である。
【図４】ドアハンドルストッパの主たる使用形態を説明するための図である。
【図５】図１に示すドアハンドルストッパの待機状態の一例を示す図である。
【図６】図１に示すドアハンドルストッパの別の使用形態を示す図である。
【図７】図６に示すドアハンドルストッパの使用形態を説明するための図である。
【図８】本発明の第２実施形態に基づくドアハンドルストッパを示す図である。
【図９】本発明の第３実施形態に基づくドアハンドルストッパを示す平面図である。
【図１０】図９のＸ−Ｘ線に沿う断面図である。
【図１１】図９に示すドアハンドルストッパの主たる使用形態を説明するための図である。
【図１２】図９に示すドアハンドルストッパの別の使用形態を示す図である。
【図１３】図１２に示すドアハンドルストッパの使用形態を説明するための図である。
【図１４】本発明の第４実施形態に基づくドアハンドルストッパを示す図である。
【図１５】本発明の第５実施形態に基づくドアハンドルストッパを示す図である。
【発明を実施するための形態】
【００１９】
以下、本発明の好ましい実施の形態につき、図面を参照して具体的に説明する。
【００２０】
図１〜図７は本発明の第１実施形態に基づくドアハンドルストッパを示している。図１および図２に示すドアハンドルストッパＡ１は、ハンドル規制部１０と、把持部２０とを備えている。ドアハンドルストッパＡ１は、図３に示すように、ドア板３と、レバーハンドル４との間に挿しこまれて使用される。
【００２１】
図３に示すように、ドア板３はドア枠６に開閉可能に嵌め込まれている。ドア板３には出没可能なラッチボルト（図示略）が設けられており、ドア枠６にはラッチボルトが嵌り込む凹部（図示略）が設けられている。レバーハンドル４は、ドア板３から直立する軸部５の先端に設けられており、軸部５を中心として回動可能となっている。レバーハンドル４は、たとえば、自然状態において水平に保たれ、下方へ向かう力が加えられるとき回動するように設計されている。レバーハンドル４は、ドア板３に設けられたラッチボルトの出没を制御する。具体的には、レバーハンドル４が自然状態にあるとき、ラッチボルトは出っ張り、ドア枠６に設けられた凹部に嵌り込むようになっている。このとき、ドア板３は閉じられた状態で維持される。レバーハンドル４を下方に回動させると、ラッチボルトは没状態となり、ドア板３を開いた状態とすることが可能となる。
【００２２】
ドアハンドルストッパＡ１は、ゴム、ゴム発泡体、樹脂発泡体、あるいは軟質樹脂のいずれかによって弾性変形可能に形成されている。具体的には、前記した材質からなる板状の素材に対してカッティングあるいは打ち抜きといった加工を施すことでドアハンドルストッパＡ１は製造される。図２に示すように、ドアハンドルストッパＡ１はほぼ一定の厚みを有する板状に形成されている。なお、図２では、ドアハンドルストッパＡ１の厚み方向をｚ方向として示している。
【００２３】
なお、ドアハンドルストッパＡ１をゴムで形成する場合、たとえば、クロロプレンゴム（ＣＲ）またはエチレンプロピレンジエンゴム（ＥＰＤＭ）を用いるのが望ましい。
【００２４】
ドアハンドルストッパＡ１をゴム発泡体で形成する場合、たとえば、ＣＲまたはＥＰＤＭを発泡させたものを用いるのが望ましい。
【００２５】
ドアハンドルストッパＡ１を樹脂発泡体で形成する場合、エチレン‐酢酸ビニル共重合（ＥＶＡ）樹脂またはポリエチレン（ＰＥ）樹脂を用いたものが望ましい。
【００２６】
ドアハンドルストッパＡ１を軟質樹脂で形成する場合、ポリウレタンまたはポリ塩化ビニルを用いたものが望ましい。
【００２７】
ドアハンドルストッパＡ１は、ｚ方向における図２中上方を向く上面１０１と、ｚ方向における図２中下方を向く下面１０２と、上面１０１と下面１０２とを繋ぐ外側面１０３とを備えている。本実施形態の外側面１０３は、図２に示すように、ｚ方向と平行な面であり、ドアハンドルストッパＡ１の外周縁を構成している。さらに、ドアハンドルストッパＡ１にはｚ方向に貫通する空隙部１３が形成されており、ドアハンドルストッパＡ１は空隙部１３を囲む内側面１０４を備えている。
【００２８】
ドアハンドルストッパＡ１は、前記した材質からなる一体物であるが、ドア板３とレバーハンドル４との間に挿しこまれることが想定されるハンドル規制部１０と、使用者が把持することが想定される把持部２０との２つの部分を備えている。
【００２９】
ハンドル規制部１０は、図１に示すように、第１当接面１１、および、第１当接面１１の反対側に位置する第２当接面１２を備えており、第１当接面１１と第２当接面１２との間の寸法が図中上方から図中下方に向かうにつれて増加する平面視楔状に形成されている。第１当接面１１および第２当接面１２は、外側面１０３の一部である。具体的には、第１当接面１１は、外側面１０３のうち、図１中右側に位置する帯状の領域であり、第２当接面１２は、図１中左側に位置する帯状の領域である。第１当接面１１は平面状に形成されている。空隙部１３はハンドル規制部１０に形成されている。空隙部１３は、図１における上下方向に長く延びる形状であり、第１当接面１１と第２当接面１２との間に位置している。
【００３０】
把持部２０は、ハンドル規制部１０の図１中下方側とつながっている。この把持部２０には、厚み方向（ｚ方向）と直交する方向に凹む凹部２１が形成されている。図１では、凹部２１は、把持部２０の図中右端部から図中左方へ凹むように形成されている。本実施形態では、凹部２１はその入り口部分が比較的狭く、奥に向かうにつれて広くなるように形成されている。凹部２１の入り口部分は２ｃｍ程度の幅で開口しており、奥の方は３．５ｃｍ程度の幅で開口している。
【００３１】
図３および図４は、ハンドル規制部１０をドア板３とレバーハンドル４との間に挿しこんだ状態を示している。ハンドル規制部１０をドア板３とレバーハンドル４との間に挿しこむ工程は、たとえば、把持部２０を掴んでハンドル規制部１０を上方に向け、レバーハンドル４の下方から挿しこむことで容易に行うことができる。
【００３２】
図４に示すように、ハンドル規制部１０は、図中左右方向に縮むように変形しており、その弾性力によってドア板３とレバーハンドル４との間に挟まれて支持される。第１当接面１１は、ドア板３に当接している。第１当接面１１は平面状に形成されているため、ドア板３に沿いやすくなっている。このことは、ハンドル規制部１０をドア板３とレバーハンドル４との間に挿しこむ際に有利である。また、第２当接面１２は、レバーハンドル４に当接している。
【００３３】
ドア板３とレバーハンドル４との間隔は、たとえば５ｃｍ程度である。ハンドル規制部１０は自然状態から縮んだ状態で両者の間に入り込むように形成される。具体的には、図１における上端付近において、第１当接面１１と第２当接面１２との間の寸法は３〜４ｃｍ程度である。図１における下方側においては、第１当接面１１と第２当接面１２との間の寸法は８〜９ｃｍ程度である。また、ハンドル規制部１０の厚みが大きすぎる場合、弾性変形しにくくなることが考えられるため、ハンドル規制部１０の厚みは、たとえば３ｃｍ程度が適当である。
【００３４】
以下、ドアハンドルストッパＡ１の作用について説明を行う。
【００３５】
第１当接面１１と第２当接面１２との間の寸法は、図１における上端部においてはドア板３とレバーハンドル４との間隔よりも小さいが、図１中下方に向かうにつれて徐々に増加し、途中からドア板３とレバーハンドル４との間隔よりも大きくなっている。このため、図３および図４に示すように、ドア板３とレバーハンドル４との間にハンドル規制部１０を挿しこんだ状態においては、レバーハンドル４の動作が制限される。図３および図４に示す状態において、レバーハンドル４を回動させるには、ハンドル規制部１０をさらに変形させるだけの力を加える必要がある。従って、ドアハンドルストッパＡ１を用いれば、たとえば猫のような屋内飼育型の小動物が飛びついた程度ではレバーハンドル４が回動しにくくなっている。
【００３６】
一方で、レバーハンドル４に意図的に力を加えれば、ハンドル規制部１０をさらに変形させつつレバーハンドル４は回動させることが可能である。空隙部１３は、ハンドル規制部１０の変形を容易とするために設けられている。空隙部１３が設けられていることもあり、成人であれば、ハンドル規制部１０を挿しこんだままでもレバーハンドル４を回動させてドア板３を開くことが可能である。なお、仮に、ハンドル規制部１０を変形させることが困難でレバーハンドル４を回せない場合でも、人であればドアハンドルストッパＡ１を取り外してレバーハンドル４を回すことができる。従って、ドアハンドルストッパＡ１は、猫などがレバーハンドル４を操作するのを防ぎつつ、住人であればレバーハンドル４の操作を行うことが可能な構成を実現するものである。
【００３７】
また、さらに、ドアハンドルストッパＡ１をドア板３とレバーハンドル４との間に挿しこんだ状態では、十分な力を持たない幼児などがレバーハンドル４を操作することは困難である。このため、ドアハンドルストッパＡ１は、猫などの小動物に対してのみではなく、幼児が部屋から出るのを防ぐ目的でも使用することができる。
【００３８】
本実施形態のドアハンドルストッパＡ１は、把持部２０に凹部２１が設けられているため、使用しない場合には、たとえば図５に示すように、レバーハンドル４にぶら下げておくことができる。
【００３９】
さらに、本実施形態のドアハンドルストッパＡ１は、レバーハンドル４の回動を制限する以外にも、図６および図７に示すように、ドア板３が開いた状態を維持する目的でも使用することができる。
【００４０】
図７に示すように、ドア板３の一端を凹部２１に嵌め込むことによりドアハンドルストッパＡ１をドア板３に固定することができる。凹部２１の比較的狭い入り口部分は、ドア板３を弾性的に挟み込むのに適している。凹部２１がドア板３を挟み込む構成によれば、ドアハンドルストッパＡ１を床に置く必要性はなく、図６に示すように、比較的高い位置に取り付けることが可能である。さらに、図６および図７に示す状態では、ハンドル規制部１０の先端はドア枠６付近の壁７に当接している。このようにドアハンドルストッパＡ１を挟み込んでおくことでドア板３を開いたままの状態で維持することができる。
【００４１】
図６および図７に示すドアハンドルストッパＡ１の役割は既存のドアストッパと同じものであるが、ドアハンドルストッパＡ１は比較的高い位置に設置することができる。このため、ドアハンドルストッパＡ１を用いれば、床面を空けた状態でドア板３を開いたままとすることができる。このことは、たとえば猫の通り道を用意しておきたい場合に有用である。
【００４２】
また、さらに、図６および図７に示すようにドアハンドルストッパＡ１をドア板３に取り付けた状態では、ドア板３が完全に閉じることを防ぐことができる。このため、たとえば幼児が部屋を出入りする際に、閉まるドア板３で指を詰めてしまうことを回避することができる。
【００４３】
図８〜図１５は、本発明に基づくドアハンドルストッパの他の実施形態を説明するための図である。これらの図においては、上記実施形態と同一または類似の要素には、同一の符号を付しており、適宜説明を省略する。
【００４４】
上記実施形態では、ハンドル規制部１０が平面視楔状の形状であったが、本発明に基づくドアハンドルストッパの形状は上記した例に限定されない。また、第１当接面１１が曲面であってもよい。ドアハンドルストッパＡ１とは異なる形状を備えたものを本発明の第２実施形態として図８を参照しつつ説明する。
【００４５】
図８に使用状態を示すドアハンドルストッパＡ２は、ドアハンドルストッパＡ１と同様の材質からなり、全体として所定の厚みを有する平面視円形の板状に形成されている。ドアハンドルストッパＡ２は、円周に沿う外側面１４を備えている。さらに、ドアハンドルストッパＡ２にはその厚み方向に貫通する平面視円形の空隙部１５Ａが形成されており、ドアハンドルストッパＡ２は空隙部１５Ａを囲む内側面１５を備えている。ドアハンドルストッパＡ２を使用する際には、空隙部１５Ａにレバーハンドル４を通し、外側面１４をドア板３に当接させる。なお、ドアハンドルストッパＡ２の外縁を成す円の半径は、ドア板３とレバーハンドル４との間隔（５ｃｍ程度）よりも小さいものとする。
【００４６】
図８に示すように、空隙部１５Ａは、ドアハンドルストッパＡ２の外周を成す円の中心とは異なる点を中心としている。すなわち、空隙部１５ＡはドアハンドルストッパＡ２の片側に寄った位置にあり、ドアハンドルストッパＡ２の径方向における外側面１４と内側面１５との間の寸法は一定ではない。ドアハンドルストッパＡ２は、外側面１４と内側面１５との間の寸法が徐々に大きく変化する領域（図中斜線部）を有している。この領域が、ドアハンドルストッパＡ２におけるハンドル規制部１０として機能する。さらに、外側面１４のうち図８の斜線部を囲む部分は第１当接面１１として機能し、内側面１５のうち図８の斜線部を囲む部分は第２当接面１２として機能する。
【００４７】
図８に示す状態から、レバーハンドル４を下方に動かそうとすると、図中における反時計回りの向きにドアハンドルストッパＡ２を回転させる力がかかる。このとき、ドアハンドル規制部１０の外側面１４と内側面１５との間の寸法がより長い領域がドア板３とレバーハンドル４との間に入り込もうとし、小さな力ではレバーハンドル４を回転させるのが困難となる。このため、ドアハンドルストッパＡ２を用いても、猫などの小動物が飼育者の意図に反してレバーハンドル４を動かすことを防ぐことができる。
【００４８】
図９〜図１３は、本発明の第３実施形態に基づくドアハンドルストッパを示している。本実施形態のドアハンドルストッパＡ３は、ドアハンドルストッパＡ１と同様の材質からなり、全体として所定の厚みを有する板状に形成されている。ドアハンドルストッパＡ３は、ハンドル規制部１０と、把持部２０とを備えている。
【００４９】
図１０に示すように、ドアハンドルストッパＡ３は、ｚ方向における図中上方を向く上面１０１と、ｚ方向における図中下方を向く下面１０２と、上面１０１と下面１０２とを繋ぐ外側面１０５とを備えている。本実施形態の外側面１０５は、ｚ方向と平行な面であり、ドアハンドルストッパＡ３の外周縁を構成している。本実施形態では、外側面１０５は、図９に示すように、厚み方向（ｚ方向）視において涙形をなす曲面状である。さらに、ドアハンドルストッパＡ３には、厚み方向（ｚ方向）と直交する方向に凹む凹部１６が形成されている。図９では、凹部１６は、ハンドル規制部１０の図中右端部から図中左方へ凹むように形成されている。本実施形態では、凹部１６は、その入口部分が狭く、奥に向かうにつれて広くなるように形成されている。凹部２１の入り口部分は２ｃｍ程度の幅で開口しており、奥の方は３．５ｃｍ程度の幅で開口している。ドアハンドルストッパＡ３は、凹部１６を囲む内側面１０６を有する。
【００５０】
図９に示すように、ドアハンドルストッパＡ３は、図中上方において、外側面１０５と内側面１０６との間の寸法が変化する領域（図中斜線部）を有している。この領域が、ドアハンドルストッパＡ３におけるハンドル規制部１０として機能する。さらに、外側面１０５のうち図９の斜線部を囲む部分は第１当接面１１として機能し、内側面１０６のうち図９の斜線部を囲む部分は第２当接面１２として機能する。
【００５１】
第１当接面１１および第２当接面１２は、その各々が、第２当接面１２から第１当接面１２に向かう方向に凸となる曲面として形成されている。本実施形態において、第１当接面１１および第２当接面１２は、厚み方向（ｚ方向）視において円弧状をなす。第１当接面１１の曲率半径は、第２当接面１２の曲率半径よりも大である。
【００５２】
把持部２０は、ハンドル規制部１０の図９中下方側とつながっている。
【００５３】
図１１は、ハンドル規制部１０をドア板３とレバーハンドル４との間に挿しこんだ状態を示している。ハンドル規制部１０をドア板３とレバーハンドル４との間に挿しこむ作業は、たとえば、まず、把持部２０を掴んで凹部１６にレバーハンドル４をその先端から通し、ハンドル規制部１０をドア板３とレバーハンドル４との間に位置させる。次いで、ドア板３とレバーハンドル４との間にあるハンドル規制部１０について、第１当接面１１と第２当接面１２との間の寸法が増加するように、図中における時計回りにドアハンドルストッパＡ３を回動させる。これにより、ハンドル規制部１０がドア板３とレバーハンドル４との間に挿しこまれる。
【００５４】
図１１に示す状態から、レバーハンドル４を下方に動かそうとすると、図中における時計回りの向きにドアハンドルストッパＡ３を回転させる力がかかる。このとき、ハンドル規制部１０の第１当接面１１と第２当接面１２の間の寸法がより長い領域がドア板３とレバーハンドル４との間に入り込もうとし、小さな力ではレバーハンドル４を回転させるのが困難となる。このため、ドアハンドルストッパＡ３を用いても、猫などの小動物が飼育者の意図に反してレバーハンドル４を動かすことを防ぐことができる。
【００５５】
ドアハンドルストッパＡ３を取り外す際には、図１１のようにハンドル規制部１０がドア板３とレバーハンドル４との間に挿しこまれた状態から、ドアハンドルストッパＡ３を図中反時計回りに回動させる。そうすると、ハンドル規制部１０における第１当接面１１と第２当接面１２の間の寸法がより短い領域が、ドア板３とレバーハンドル４との間にくるので、ドアハンドルストッパＡ３を容易に取り外すことができる。
【００５６】
また、ドアハンドルストッパＡ３のハンドル規制部１０をドア板３とレバーハンドル４との間に挿しこんだ状態では、上記のような取り外し方法を知らない幼児などがレバーハンドル４を操作することは困難である。このため、ドアハンドルストッパＡ３は、猫などの小動物に対してのみではなく、幼児が部屋から出るのを防ぐ目的でも使用することができる。
【００５７】
さらに、本実施形態のドアハンドルストッパＡ３は、レバーハンドル４の回動を制限する以外にも、図１２および図１３に示すように、ドア板３が開いた状態を維持する目的でも使用することができる。
【００５８】
図１３に示すように、ドア板３の一端を凹部１６に嵌め込むことによりドアハンドルストッパＡ３をドア板３に固定することができる。凹部１６の比較的狭い入り口部分は、ドア板３を弾性的に挟み込むのに適している。凹部１６がドア板３を挟み込む構成によれば、ドアハンドルストッパＡ３を床に置く必要性はなく、図１２に示すように、比較的高い位置に取り付けることが可能である。さらに、図１２および図１３に示す状態では、把持部２０の先端付近がドア枠６における壁７側の角部に当接している。このようにドアハンドルストッパＡ３を挟み込んでおくことでドア板３を開いたままの状態で維持することができる。
【００５９】
図１２および図１３に示すドアハンドルストッパＡ３の役割は既存のドアストッパと同じものであるが、ドアハンドルストッパＡ３は比較的高い位置に設置することができる。このため、ドアハンドルストッパＡ３を用いれば、床面を空けた状態でドア板３を開いたままとすることができる。このことは、たとえば猫の通り道を用意しておきたい場合に有用である。
【００６０】
さらに、図１２および図１３に示すようにドアハンドルストッパＡ３をドア板３に取り付けた状態では、ドア板３が完全に閉じることを防ぐことができる。このため、たとえば幼児が部屋を出入りする際に、閉まるドア板３で指を詰めてしまうことを回避することができる。
【００６１】
上述のドアハンドルストッパＡ１においては、ハンドル規制部１０に細長状の空隙部１３が１個だけ形成されているが、本発明の実施の形態はこれに限定されない。空隙部１３を複数並べることで代用すること可能であり、そのような例を本発明の第４実施形態として図１４を参照しつつ説明する。
【００６２】
図１４に示すドアハンドルストッパＡ４のハンドル規制部１０には３個の空隙部１３１，１３２，１３３が形成されている。各空隙部１３１，１３２，１３３は平面視円形に形成されている。空隙部１３１，１３２，１３３は、第１当接面１１と第２当接面１２との間に、図中の上下方向にほぼ沿うように配列されている。空隙部１３１，１３２，１３３が設けられている分だけ、第１当接面１１と第２当接面１２と間を縮めるように変形させることが容易となる。
【００６３】
また、ドアハンドルストッパＡ１およびＡ４では、ハンドル規制部１０に空隙部１３ないし空隙部１３１，１３２，１３３を設けているが、把持部２０にも空隙部を設けてもよい。そのような例を、本発明の第５実施形態として図１５を参照しつつ説明する。
【００６４】
図１５に示すドアハンドルストッパＡ５のハンドル規制部１０には２個の空隙部１３１，１３２が形成されており、把持部２０には２個の空隙部１３３，１３４が形成されている。各空隙部１３１，１３２，１３３，１３４は平面視円形に形成されている。空隙部１３１，１３２は、第１当接面１１と第２当接面１２と間を縮めるように変形させることが容易となるために設けられている。一方、空隙部１３３，１３４は、凹部２１にドア板３の一端を嵌め込むのを容易とするために設けられている。
【００６５】
本発明に基づくドアハンドルストッパは、上述した実施形態に限定されるものではない。本発明に基づくドアハンドルストッパの具体的な構成は、種々に設計変更自在である。
【００６６】
ドアハンドルストッパＡ１では、ハンドル規制部１０の変形を容易とするために空隙部１３が設けられている。図２に示すように、ドアハンドルストッパＡ１の空隙部１３は厚み方向（ｚ方向）に貫通しているが、本発明で言う空隙部１３はこのような場合に限定されない。たとえば、厚み方向に貫通せず、周囲よりも厚みが薄くなっているだけの場合であっても、変形を容易とする目的を達成することが可能な場合もある。
【符号の説明】
【００６７】
Ａ１〜Ａ５  ドアハンドルストッパ
１０  ハンドル規制部
１１  第１当接面
１２  第２当接面
１３，１３１，１３２，１３３，１３４，１５Ａ  空隙部
１０３，１４，１０５  外側面
１０４，１５，１０６  内側面
１６  凹部（第１凹部）
２０  把持部
２１  凹部（第２凹部）
３    ドア板
４    レバーハンドル
５    軸部
６    ドア枠
７    壁
【図１】
2014058860.tif 000003
【図２】
2014058860.tif 000004
【図３】
2014058860.tif 000005
【図４】
2014058860.tif 000006
【図５】
2014058860.tif 000007
【図６】
2014058860.tif 000008
【図７】
2014058860.tif 000009
【図８】
2014058860.tif 000010
【図９】
2014058860.tif 000011
【図１０】
2014058860.tif 000012
【図１１】
2014058860.tif 000013
【図１２】
2014058860.tif 000014
【図１３】
2014058860.tif 000015
【図１４】
2014058860.tif 000016
【図１５】
2014058860.tif 000017